(57)【要約】【課題】ベース片に補強手段を施すことでベース片の変歪を防止でき、棚板自体の重量を含めてこの棚板に負荷される重量商品を、十分に安定的に支持可能にする。【解決手段】板状のベース片３、化粧板固定部４、５、ホルダ取付部６、７、補強片１３、上部垂下片１４および下部起立片１５、上部Ｌ字状支持片１７および下部Ｌ字状支持片１８をそれぞれ持つホルダ部材１と、垂直片２０および水平片２１、第１の係止突起部２０ａ、第２の係止突起部２１ａをそれぞれ持つ棚板保持部材２とからなる棚板保持装置Ａであり、ホルダ部材１の上部Ｌ字状支持片１７と棚板保持部材２の水平片２１との間隙に一端部を挿入した棚板２２全体をホルダ部材１によって片持ち保持させる構成である。【選択図】図１
2010094430.tif 000002
【特許請求の範囲】
【請求項１】
室内壁面等の被取付面に固定されるホルダ部材と、このホルダ部材に装着されて、商品陳列用の棚板の一端部を保持する棚板保持部材とからなる棚板保持装置であって、
前記ホルダ部材は、
板状のベース片と、
このベース片前面の上下部に一体に設けられた化粧板固定部と、
これらの化粧板固定部の互いに対向する位置に該化粧板固定部に対しそれぞれ一体に設けられて、前記ベース片とともに前記被取付面にねじ固定されるホルダ取付部と、
これらのホルダ取付部間に介在されるように垂直に連設された補強片と、
これらのホルダ取付部間に介在されるように、前記補強片の前方に第１の空隙を介して（垂直に）連設された上部垂下片および下部起立片と、
これらのホルダ取付部間に介在されるように、前記上部垂下片および下部起立片の前方に第２の空隙を介して対称配置された上部Ｌ字状支持片および下部Ｌ字状支持片と、
を備え、
前記棚板保持部材は、
略Ｌ字状に連続する垂直片および水平片と、
前記上部Ｌ字状支持片および下部Ｌ字支持片間の保持間隙、前記第２の空隙、前記上部垂下片および下部起立片間の保持間隙を順次介して前記第１の空隙に挿入されることにより、前記垂直片が前記補強片に当接された際に、前記上部垂下片の下縁を含む部分に係止される前記垂直片側面に一体の第１の係止突起と、
前記上部Ｌ字状支持片および下部Ｌ字支持片間の保持間隙、前記第２の空隙、前記上部垂下片および下部起立片間の保持間隙を順次介して前記第１の空隙に挿入されることにより、前記垂直片が前記補強片に当接された際に、前記下部Ｌ字状支持片の開口縁に係止される前記水平片下面に一体の第２の係止突起部とを備え、
前記上部Ｌ字状支持片と前記棚板保持部材の前記水平片との間隙に棚板の一端部を挿入することによって、該棚板全体を前記ホルダ部材に片持ち保持することを特徴とする棚板保持装置。
【請求項２】
室内壁面等の被取付面に固定されるホルダ部材と、このホルダ部材に装着されて、商品陳列用の棚板の一端部を保持する棚板保持部材とからなる棚板保持装置であって、
前記一端部にはスリップ防止部材が取り付けられ、
該スリップ防止部材のうち前記棚板の下面を支持する部位が軟質の合成樹脂またはゴムからなることを特徴とする棚板保持装置。
【発明の詳細な説明】
【技術分野】
【０００１】
本発明は、商品陳列用のガラス板、金属板、木板、プラスチック板などからなる棚板を室内壁面等に着脱可能に水平保持する棚板保持装置に関する。
【背景技術】
【０００２】
室内壁面等の被取付面に複数の壁面部材を上下方向に列設し、これらの列設間に商品陳列用ハンガを係脱自在に保持させるための長溝を形成する取付部材を設けて室内壁面等を形成すれば、その長溝の適宜位置にハンガを掛け止めすることができ、商品陳列に適する（例えば、特許文献１参照）。
しかしながら、壁面部材を被取付面と平行離間して取り付ける場合に、長溝を通して被取付面が露出するため、ハンガ掛止部分を最小にし、壁面部材によって室内等の陳列場所の美観を高める上で大きな障害となる。
【０００３】
これに対して、基部プレートの前部に蟻溝部を形成する構成部材に上下方向から延出する一対の区画壁を設け、この区画壁によって形成されたハンガ係止部に区画壁と同様に一対の係止用壁を形成した商品陳列用壁面構成部材が提案されている（例えば、特許文献２）。これによれば、基部プレートと区画壁との間に装飾プレートを介在することによって被取付面が露出するのを回避でき、一方、ハンガ係止部にハンガの一端を片持ち支持することができる。
【特許文献１】特公昭６１−１０１２２号公報
【特許文献２】特公平０３−１８８８５号公報
【発明の開示】
【発明が解決しようとする課題】
【０００４】
しかしながら、かかる従来の商品陳列用壁面構成部材にあっては、一枚の基部プレートが上下に分断された一対の区画壁や一対のハンガ係止部を一体に支持する構成であるため、ハンガ係止部に係止されるハンガに負荷される荷重が大きいと、基部プレートが撓んでハンガ係止部が相互に拡開し、ハンガが脱落し易くなるほか、前記装飾プレートが区画壁の内側移動して位置ズレするなどの不都合があった。
【０００５】
本発明は前記従来の問題点に着目してなされたものであり、基部プレートとしてのベース片に補強手段を施すことでこのベース片の変歪を防止でき、従って、棚板自体の重量を含めてこの棚板に負荷される商品の重量を、十分に安定的に支持することができる棚板保持装置を提供することを目的とする。
【課題を解決するための手段】
【０００６】
前記目的達成のために、本発明にかかる棚板保持装置は、室内壁面等の被取付面に固定されるホルダ部材と、このホルダ部材に装着されて、商品陳列用の棚板の一端部を保持する棚板保持部材とからなる棚板保持装置であって、前記ホルダ部材は、板状のベース片と、このベース片前面の上下部に一体に設けられた化粧板固定部と、これらの化粧板固定部の互いに対向する位置に該化粧板固定部に対しそれぞれ一体に設けられて、前記ベース片とともに前記被取付面にねじ固定されるホルダ取付部と、これらのホルダ取付部間に介在されるように垂直に連設された補強片と、これらのホルダ取付部間に介在されるように、前記補強片の前方に第１の空隙を介して（垂直に）連設された上部垂下片および下部起立片と、これらのホルダ取付部間に介在されるように、前記上部垂下片および下部起立片の前方に第２の空隙を介して対称配置された上部Ｌ字状支持片および下部Ｌ字状支持片と、を備え、前記棚板保持部材は、略Ｌ字状に連続する垂直片および水平片と、前記上部Ｌ字状支持片および下部Ｌ字支持片間の保持間隙、前記第２の空隙、前記上部垂下片および下部起立片間の保持間隙を順次介して前記第１の空隙に挿入されることにより、前記垂直片が前記補強片に当接された際に、前記上部垂下片の下縁を含む部分に係止される前記垂直片側面に一体の第１の係止突起と、前記上部Ｌ字状支持片および下部Ｌ字支持片間の保持間隙、前記第２の空隙、前記上部垂下片および下部起立片間の保持間隙を順次介して前記第１の空隙に挿入されることにより、前記垂直片が前記補強片に当接された際に、前記下部Ｌ字状支持片の開口縁に係止される前記水平片下面に一体の第２の係止突起部とを備え、前記上部Ｌ字状支持片と前記棚板保持部材の前記水平片との間隙に棚板の一端部を挿入することによって、該棚板全体を前記ホルダ部材に片持ち保持することを特徴とする。
【０００７】
この構成により、前記上部Ｌ字状支持片および下部Ｌ字状支持片間の前方開放部に対し棚板保持部材を前記垂直片側から挿入し、さらにこの垂直片の先端部を前記補強片と上部垂下片との間に介在させることで、この上部垂下片の下縁に前記垂直片の第１の係止突起を係止させることができる。また、前記垂直片の外側面が前記補強片に密接すると同時に、前記棚板保持部材の水平片はホルダ部材の下部Ｌ字状支持片上に載置され、この下部Ｌ字状支持片の開口部端縁に水平片の第２の係止突起部を係止させることができる。
【０００８】
かかる密接動作および係止動作により、棚板保持部材は前記ホルダ部材により安定的に保持される。従って、このホルダ部材の上部Ｌ字状支持片と棚板保持部材との間の開口部から一端部を挿し込んだ棚板が片持ち状態で安定的に支持可能になり、重量がある商品の荷重にも十分に耐え得る棚板保持装置を構成できる。
【０００９】
また、本発明にかかる棚板保持装置は、室内壁面等の被取付面に固定されるホルダ部材と、このホルダ部材に装着されて、商品陳列用の棚板の一端部を保持する棚板保持部材とからなる棚板保持装置であって、前記一端部にはスリップ防止部材が取り付けられ、該スリップ防止部材のうち前記棚板の下面を支持する部位が軟質の合成樹脂またはゴムからなることを特徴とする。
この構成により、棚板保持装置に対し棚板を高い接触抵抗を得ながら脱落させずに安定に片持ち支持させることができる。
【発明の効果】
【００１０】
本発明によれば、ベース片に補強手段を施すことでベース片の変歪を防止でき、従って、棚板自体の重量を含めてこの棚板に負荷される重量商品を、十分に安定的に支持することができる。
【発明を実施するための最良の形態】
【００１１】
以下に、本発明の実施形態による棚板保持装置を、図面を参照して詳細に説明する。
図１は、本発明の実施の形態による棚板保持装置を示す縦断面図、図２は、図１におけるホルダ部材を一部破断して示す斜視図、図３は、図１における棚板保持部材を一部破断して示す斜視図、図４は、図１におけるホルダ部材の被取付部材に対する装着組付け図、図５は、図１におけるホルダ部材に対する棚板保持部材の組み付け手順を示す説明図、図６は、棚板保持装置に対する棚板の装着状況を示す斜視図、図７は、図６に示すホルダ部材、棚板保持部材、スリップ防止被覆および棚板の装着組付け斜視図である。
【００１２】
本実施形態による棚板保持装置Ａは、ホルダ部材１と、棚板保持部材２とから構成されている。これらのうち、ホルダ部材１は全体として鋼材やアルミ材などの押し出し成形により得られ、室内壁面等の被取付面、本実施形態ではＣ型鋼材１１に水平配置され、かつ固定される。ホルダ部材１は、１枚のベース片３と、このベース片３前面の上下端部に一体に設けられた化粧板固定部としての矩形筒状の支持台部４、５と、これらの支持台部４、５の互いに対向する部位にそれぞれ一体に連設されて、一部がこれらと共用される、小型の矩形筒状の取付台部６、７と、これらの取付台部６、７間に一体に連設された棚板保持部８とを有する。
【００１３】
そして、これらの支持台部４、５、取付台部６、７および棚板保持部８は、ベース片３の中心線Ｌに対して対称配置されている。これにより、このホルダ部材１の上下の向きが異なることによる取付ミスを未然に回避でき、取付作業の効率を改善できる。この支持台部４、５の前面には化粧板９、１０が当接され、この化粧板９、１０を通してネジ２４をその支持台部４、５にねじ込むことにより、化粧版９、１０が支持台部４、５にそれぞれ固定される。
【００１４】
取付台部６、７の前部壁６ａ、７ａは支持台部４、５の前部壁４ａ、５ａよりベース片３側に後退した位置に臨み、その前部壁６ａ、７ａの中心部にはねじ挿通用のガイド溝６ｂ、７ｂが形成されている。取付台部６、７はこれらのガイド溝６ｂ、７ｂから前記Ｃ型鋼材１１にねじ込んだネジ１２によって固着される。これにより、ホルダ部材１が垂直方向に配列した複数本の前記Ｃ型鋼材１１に水平に固定される。
【００１５】
ベース片３前方の取付台部６、７間には、所定幅の空隙Ｇ１を介して垂直方向に補強片１３が一体に設けられている。この補強片１３は、商品陳列用の棚板に負荷される荷重を受けて取付台部６、７がベース片３に対し揺動したり、ベース片３自体が変形したりするのを防止するように機能する。
【００１６】
更に、この補強片１３前方の取付台部６、７にはその補強片１３から所定幅の第１の空隙Ｇ１を介して、それぞれ上部垂下片１４および下部起立片１５が垂直方向に突設されている。これらの上部垂下片１４および下部起立片１５はサイズや形状が同一であり、これらの間には後述の棚板保持部材２を装着するための保持間隙１６が介在されている。
【００１７】
上部垂下片１４および下部起立片１５の前方の取付台部６、７にはこれらから更に所定幅の第２の空隙Ｇ２を介してそれぞれ上部Ｌ字状支持片１７および下部Ｌ字状支持片１８が、互いに対象配置となるように突設されている。ここで各Ｌ字状支持片１７、１８の垂直片１７ａ、１８ａの前面は、支持台部４、５の前部壁４ａ、５ａの前面と同一の垂直面内にあり、前記化粧版９の裏面を均等の圧力で支持可能にしている。
【００１８】
各Ｌ字状支持片１７、１８の水平片１７ｂ，１８ｂはサイズや形状が同一であり、対象配置され、かつ所定の保持間隙１９をおいて配置される。この保持間隙１９は前記上部垂下片１４および下部起立片１５間の保持間隙１６と同一寸法とされている。なお、水平片１７ｂ，１８ｂの水平方向長は化粧板９、１０の厚みに対応した長さとする。
【００１９】
一方、前記棚板保持部材２は垂直片２０および水平片２１を持つＬ字状部材であり、ある程度の硬さを持つように、所定の金属材料または合成樹脂材料により成形されている。垂直片２０は背面側が先端部を除き平坦に形成され、これの上部前面側には矩形断面形状の第１の係止突起２０ａが、図上において水平方向に向かって突設されている。この第１の係止突起２０ａは前面が平坦である。
【００２０】
水平片２１は下面側が先端部付近を除いて平坦に形成され、その下面側の先端部付近には、下面が緩やかに湾曲する所定高さの第２の係止突起２１ａが形成されている。また、水平片２１下面と第２の係止突起２１ａとが連続する段部は傾斜面で繋がっている。更に、水平片２１上面の先端部付近には、上面が平坦な支持突起２１ｂが突設されている。かかる構成の棚板保持部材２は、図１に示すようにホルダ部材１に装着されるが、その装着手順は後述する。
【００２１】
ホルダ部材１には、棚板保持部材２を介して棚板２２の端部が装着される。この棚板２２はその端部に横Ｊ字状のスリップ防止部材２３が嵌装されている。このスリップ防止部材２３は、支持突起２１ｂ上に支持される部位が摩擦抵抗の大きい軟質部材（軟質樹脂やゴム）２３ａによって形成され、この部位以外は硬質部材（硬質樹脂）２３ｂによって形成されている。
【００２２】
次に、この棚板保持装置Ａの組み付け手順を説明する。先ず、図１および図５に示すように、垂直方向に長いＣ型鋼材１１を水平方向に複数本配置し、ホルダ部材１をこれらのＣ型鋼材１１に対して水平状態に固定する。この固定は、ベース片３をＣ型鋼材１１の前面に当接し、取付台部６、７の各ガイド溝６ｂ、７ｂからベース片３を貫通して、ネジ１２をＣ型鋼材１１にねじ込むことにより行われる。
【００２３】
続いて、化粧板９、１０を用意し、この化粧板９の下端を上部Ｌ字状支持片１７の水平片１７ｂ上に当接させる。また、化粧板９の裏面を支持台部４の前部壁４ａ前面と、上部Ｌ字状支持片１７の垂直片１７ａ前面に当接させる。同様にして、化粧板１０の上端を下部Ｌ字状支持片１８の水平変１８ｂ下面に当接させる。また、化粧板１８の裏面を支持台部５の前部壁５ａ前面と下部Ｌ字状支持片１８の垂直片１８ａ前面に当接させる。そして、これらの化粧板９、１０の表面側から、図１および図５に示すように、前部壁４ａ、５ａにネジ２４をねじ込む。これにより各化粧板９、１０がホルダ部材１に固定される。
【００２４】
次に、ホルダ部材１に対し棚板保持部材２を装着する。この装着の手順は図４に示す通りである。先ず、図４（ａ）に示すように、棚板保持部材２の垂直片２０をその先端部から水平片１７ｂ、１８ｂ間の保持間隙１９、第２の空隙Ｇ２および上部垂下片１４、下部起立片１５間の保持間隙１６を通して空隙Ｇ１内に斜め下方から挿し入れる。続いて棚板保持部材２を図４（ｂ）に示すように、時計方向に回動操作する。
【００２５】
これにより、垂直片２０の第１の係止突起２０ａの上面が、垂下片１４の下縁に突き当たる。また、前記回動操作によって、棚板保持部材２の水平片２１が略水平になると、今度は棚板保持部材２の第２の係止突起２１ａが水平片１８ｂの端縁に係止する。このとき垂直片２０の背面が図４（ｃ）に示すように、補強片１３の前面に当接する。この状態では、棚板保持部材２はホルダ部材１に対し大きな外力を受けても簡単に離脱することはない。
【００２６】
次に、棚板保持部材２を利用してホルダ部材１に棚板２２を装着する手順を、図６および図７を参照しながら説明する。棚板２２の一端部にはスリップ防止部材２３が嵌め込まれ、必要に応じこれが接着剤を介して固着される。このスリップ防止部材２３側を、上部Ｌ字状支持片１７の水平片１７ｂとホルダ部材１の水平片２１との間隙に挿し込み、スリップ防止部材２３を介して棚板２２の前記一端を棚板保持部材２の第１の係止突起２０ａ前面に突き当てる。
【００２７】
これにより、棚板２２の前記一端の上面が、スリップ防止部材２３の硬質部分２３ｂを介して水平片１７ｂ下面に密接し、棚板２２の前記一端の下面がスリップ防止部材２３の軟質部材２３ａを介して水平片２１ｂの支持突起２１ｂ上面に支承される。棚板２２は商品の陳列に用いられ、その一端部が前述のように片持ち支持される。従って、この棚板２２自体の重量および陳列品の荷重を受けて棚板２２には棚板保持部材２の水平片２１端付近を中心として、図１において、時計方向に回転する力が作用する。
【００２８】
しかし、この棚板２２は、上部Ｌ字状支持片１７の垂直片１７ａと水平片１７ｂが連続する部位（角部）付近と、水平片２１ｂ上面とによって前記回動が規制されるとともに、前記連続する部位付近に加わる上方向への押上げ力は、ネジ１２によって固定された取付台部６を介してＣ型鋼材１１に分散される。このため、棚板２２は傾くことなく安定支持される。
【００２９】
また、水平片２１ｂ上面の端部付近に加わる下方向への押し下げ力は、垂直片２０の上端前面は垂下片１４に対する係止、補強片１３前面の垂直片２０背面に対する接合、下部Ｌ字状支持片１８上面の水平片２１下面に対する接合によって、それぞれ分散される。従って、棚板２２は棚板保持部材２によってホルダ部材１に対し傾くことなく安定的に片持ち支持される。
【００３０】
この場合に、水平片２１ｂ上面にはスリップ防止部材２３の軟質部材２３ａが密接するため、棚板２２がホルダ部材２の水平片２１と上部Ｌ字状支持片１７の水平片１７ｂとの間隙から外方へ滑り出ることを確実に防止できる。なお、棚板２２に対し前記荷重が負荷された場合には、前記軟質部材２３ａと、水平片２１ｂ上面との摩擦抵抗が一段と高まり、棚板２２の前記滑り出しや脱落を確実に防止できる。
【００３１】
このように本実施形態では、室内壁面等の被取付面に固定されるホルダ部材１と、このホルダ部材１に装着されて、商品陳列用の棚板２２の一端部を保持する棚板保持部材２とからなる棚板保持装置Ａであって、ホルダ部材１を、板状のベース片３と、このベース片３前面の上下部に一体に設けられた化粧板固定部４、５と、これらの化粧板固定部４、５の互いに対向する位置に化粧板固定部に対しそれぞれ一体に設けられて、前記ベース片３とともに前記被取付面にねじ固定されるホルダ取付部６、７と、これらのホルダ取付部６、７間に介在されるように垂直に連設された補強片１３と、これらのホルダ取付部６、７間に介在されるように、補強片１３の前方に第１の空隙Ｇ１を介して（垂直に）連設された上部垂下片１４および下部起立片１５と、これらのホルダ取付部６、７間に介在されるように、上部垂下片１４、および下部起立片１５の前方に第２の空隙Ｇ２を介して対称配置された上部Ｌ字状支持片１７および下部Ｌ字状支持片１８と、から構成し、前記棚板保持部材２を、略Ｌ字状に連続する垂直片２０および水平片２１と、上部Ｌ字状支持片１７および下部Ｌ字支持片１８間の保持間隙１９および第２の空隙Ｇ２、上部垂下片１４および下部起立片１５間の保持間隙１６を順次介して第１の空隙Ｇ１に挿入されることにより、垂直片２０が前記補強片１３に当接された際に、上部垂下片１４の下縁を含む部分に係止される前記垂直片２０側面に一体の第１の係止突起２０ａと、上部Ｌ字状支持片１７および下部Ｌ字支持片１８間の保持間隙１９および第２の空隙Ｇ２、上部垂下片１４および下部起立片１５間の保持間隙１６を順次介して第１の空隙Ｇ１に挿入されることにより、垂直片２０が前記補強片１３に当接された際に、前記下部Ｌ字状支持片１８の開口縁に係止される前記水平片２１下面に一体の第２の係止突起部２１ａと、から構成し、ホルダ部材１の上部Ｌ字状支持片１７と棚板保持部材２の前記水平片２１との間隙に一端部を挿入した棚板２２全体をホルダ部材１によって片持ち保持可能にした。
【００３２】
これによって、垂直片２０の外側面下部が前記補強片１３に密接すると同時に、棚板保持部材２の水平片２１はホルダ部材１の下部Ｌ字状支持片１８上に載置されるとともに、この下部Ｌ字状支持片１８の開口部側縁に水平片２１の第２の係止突起部２１ａが係止される。
【００３３】
かかる密接動作および係止動作により、棚板保持部材２はホルダ部材１により安定的に保持される。従って、このホルダ部材１の上部Ｌ字状支持片１７と棚板保持部材２との間の開口部から一端部を挿し込んだ棚板２２が片持ち状態で安定的に支持可能になり、重量がある商品の荷重にも十分に耐え得る棚板保持装置Ａを構成できる。
【産業上の利用可能性】
【００３４】
本発明は、ベース片に補強手段を施すことでベース片の変歪を防止でき、従って、棚板自体の重量を含めてこの棚板に負荷される重量商品を、十分に安定的に支持することができるという効果を有し、商品陳列用の棚板を室内壁面等に着脱可能に水平保持する棚板保持装置等に有用である。
【図面の簡単な説明】
【００３５】
【図１】本発明の実施の形態による棚板保持装置を示す縦断面図である。
【図２】図１におけるホルダ部材を示す斜視図である。
【図３】図１における棚板保持部材を示す斜視図である。
【図４】図１におけるホルダ部材に対する棚板保持部材の組み付け手順を示す説明図である。
【図５】図１におけるホルダ部材の被取付部材に対する組立図である。
【図６】棚板保持装置に対する棚板の装着状況を示す斜視図である。
【図７】図６に示すホルダ部材、棚板保持部材、スリップ防止被覆および棚板の組付け斜視図である。
【符号の説明】
【００３６】
１  ホルダ部材
２  棚板保持部材
３  ベース片
４、５  支持台部（化粧板固定部）
６、７  取付台部（ホルダ取付部）
８  棚板保持部
９、１０  化粧板
１１  Ｃ型鋼材
１２、２４  ネジ
１３  補強片
１４  上部垂下片
１５  下部起立片
１６、１９  保持間隙
１７  上部Ｌ字状支持片
１８  下部Ｌ字状支持片
２０  垂直片
２０ａ  第１の係止突起
２１  水平片
２１ｂ  第２の係止突起
２２  棚板
２３  スリップ防止部材
Ａ  棚板保持装置
Ｇ１  第１の空隙
Ｇ１  第２の空隙
【図１】
2010094430.tif 000003
【図２】
2010094430.tif 000004
【図３】
2010094430.tif 000005
【図４】
2010094430.tif 000006
【図５】
2010094430.tif 000007
【図６】
2010094430.tif 000008
【図７】
2010094430.tif 000009